【手続補正書】
【提出日】平成24年3月9日(2012.3.9)
【手続補正１】
【補正対象書類名】明細書
【補正対象項目名】０１３０
【補正方法】変更
【補正の内容】
【０１３０】
本明細書で開示される方法は、特定の順序で実行される特定のステップを参照して説明および図示されているが、これらのステップを組み合わせる、副分割、または再順序付けして、該実施形態の教示から逸脱することなく、同等の方法を形成し得ることを理解されたい。したがって、本明細書において明記されない限り、ステップの順序およびグループ分けは、実施形態の制限ではない。
なお、デバイスは、前記幼児の親の声で事前録音された単独音素を記憶するように作動する記憶素子と、前記事前録音された単独音素から、再生する前記聴覚ピースを作成するようにプログラムされるコンピュータ素子とをさらに備えてもよい。
また、前記聴覚ピースは、前記幼児が月齢約３ヶ月未満の場合、子音よりも母音を多く含み、前記幼児が月齢約７ヶ月を超える場合は、母音よりも子音を多く含んでもよい。
また、前記デバイスは、前記幼児の親の声で事前録音された聴覚ピースを記憶するように作動する記憶素子をさらに備えてもよい。
前記デバイスは、前記幼児の活動を測定するように配置されるセンサに連結され、前記幼児の活動を利用して、前記幼児の発達を推定し、前記デバイスは、さらに前記幼児の推定される発達に従って、前記幼児に対して再生する前記聴覚ピースを決定してもよい。
前記センサは、前記幼児の動作を測定してもよい。
前記センサは、前記幼児の喃語を測定してもよい。
前記デバイスは、前記幼児の体重を測定するように配置される体重センサに連結され、前記幼児の体重に従って、前記幼児に対して再生する前記聴覚ピースを決定してもよい。
前記デバイスは、増幅器と、スピーカとをさらに備えてよい。
聴覚ピースを再生するデバイスであって、前記幼児の親の声で事前録音された聴覚ピースを記憶するように作動する記憶素子と、前記幼児の年齢に従って、再生する少なくとも１つの聴覚ピースを選択するようにプログラムされるコンピュータ素子とを備えてもよい。
前記聴覚ピースは単独音素を含んでもよい。
前記幼児の年齢は推定されてもよい。
前記デバイスは、増幅器と、スピーカとをさらに備えてもよい。
方法は、言語習得前の言語発達のための聴覚ピースを準備する方法であって、幼児の年齢を登録するステップと、前記幼児の親の声で録音された少なくとも１つの音素にアクセスするステップと、前記幼児の年齢に適切である、前記録音された音素から聴覚ピースを構築するステップとを含む。
前記聴覚ピースは、所定の旋律パターンに従って構築されてもよい。
前記聴覚ピースは単独音素を含み、前記音素の大部分は、少なくとも３回連続して反復されてもよい。
異なる年齢に適切な複数の聴覚ピースを構築するステップと、前記幼児の年齢に従って、前記適切な聴覚ピースを再生するステップとをさらに含んでもよい。
異なる年齢において、異なる音素の混合を含む異なる聴覚ピースを再生するステップをさらに含んでもよい。
デバイスは、音声カテゴリの発達を刺激するために、幼児に対して聴覚ピースを再生するように事前プログラムされるデバイスであって、前記聴覚ピースは、前記幼児の親の声の単独音素を含み、前記デバイスは、前記幼児の推定される発達に従って、経時的に再生される音素の混合を選択するようにプログラムされるコンピュータ素子を備える。
異なる音素の混合においては、再生される母音の、再生される子音に対する比率が異なってもよい。
前記デバイスは、前記幼児の親の声で事前録音された聴覚ピースを記憶するように作動する、記憶素子をさらに備えてもよい。
タイマーをさらに備え、前記タイマーを利用して、前記幼児の発達を推定してもよい。
再生持続時間のカウンタをさらに備え、前記再生持続時間のカウンタを利用して、前記幼児の発達を推定してもよい。
幼児の活動を測定するように配置されるセンサをさらに備え、前記幼児の活動を利用して、前記幼児の発達を推定してもよい。
前記センサは、前記幼児の動作を測定してもよい。
前記センサは、前記幼児の喃語を測定してもよい。
前記幼児に関連する身体パラメータを測定するように配置されるセンサをさらに備え、前記身体パラメータを利用して、前記幼児の発達を推定してもよい。
前記身体パラメータは、前記幼児の体重であってもよい。
前記身体パラメータは、前記幼児の体積であってもよい。
前記デバイスは、増幅器と、スピーカとをさらに備えてもよい。
方法は、幼児を刺激して追加の音声カテゴリを発達させる方法であって、前記幼児の発達を推定するステップと、前記推定された発達に適切な聴覚ピースを選択するステップとを含み、前記聴覚ピースは、前記幼児の親の声の単独音素を含む。
前記聴覚ピースを再生するステップと、前記幼児の発達を推定するために、体重センサを使用するステップとをさらに含んでもよい。
前記聴覚ピースを再生するステップと、前記幼児の発達を推定するための電子おしゃぶりを使用するステップとをさらに含んでもよい。
前記聴覚ピースを再生するステップと、前記幼児の喃語を分析して、前記幼児の発達を推定するステップとをさらに含んでもよい。
デバイスは、幼児を刺激して追加の音声カテゴリを発達させるデバイスであって、前記デバイスは、前記幼児に関連するパラメータを測定するように配置されるセンサに連結され、事前録音された聴覚ピースを記憶するように作動する記憶素子と、前記測定されたパラメータに基づいて、前記幼児の発達段階を推定するようにプログラムされるコンピュータ素子とをさらに備え、前記コンピュータ素子は、前記推定された発達段階に従って、前記事前録音された聴覚ピースから、どの聴覚ピースを再生するかを選択する。
前記パラメータは前記幼児の体重であり、前記幼児の前記推定発達段階は、前記幼児の体重に比例すると予想されてもよい。
前記パラメータは、前記幼児の発達段階を示す、前記幼児のおしゃぶり吸引特性であってもよい。
前記パラメータは、前記幼児の前記発達段階を示す、前記幼児の喃語であってもよい。
前記デバイスは、増幅器と、スピーカとをさらに備えてもよい。
デバイスは、幼児の親の声の単独音素を含む聴覚ピースを再生するように事前プログラムされるデバイスであって、前記音素の混合が、前記幼児の前記推定される発達と正相関であるように、経時的に再生される前記音素の混合を変更するようプログラムされるコンピュータ素子を備える。
前記音素の混合は、前記再生される母音と前記再生される子音との間の比率に比例してもよい。
前記聴覚ピースは、前記幼児を刺激して音声カテゴリを発達させてもよい。
単独音素を含む聴覚ピースを再生するように作動するデバイスであって、幼児の年齢および健康状態に従って、前記幼児に対して再生する前記聴覚ピースを決定してもよい。
前記聴覚ピースは、前記幼児の親の声で再生されてもよい。
前記聴覚ピースは、前記音声カテゴリの発達を刺激してもよい。
前記聴覚ピースは、前記幼児が聴覚障害を有する場合、より大きな音で再生されてもよい。
単独音素を含む聴覚ピースを再生することによって、前記音声カテゴリの発達を刺激する方法であって、前記幼児の推定される発達に従って、前記聴覚ピースを選択するステップと、前記幼児が病気であることを登録すると、前記選択を変更するステップとを含んでもよい。
病気は聴覚障害を含み、表示は前記聴覚障害の期間を含んでもよい。
前記選択を変更するステップは、前記音素の混合を変更するステップを含んでもよい。
前記選択を変更するステップは、前記旋律を変更するステップを含んでもよい。
前記聴覚ピースとともに操作される可視表示の操作の変更をさらに含んでもよい。
前記幼児が再び健康になった後、前記選択を変更するステップをさらに含んでもよい。
デバイスは、単独音素を含む聴覚ピースを幼児に対して再生するように作動するデバイスであって、前記幼児に近接して、発話の量の測定を受信し、それにしたがって、前記幼児に対して再生する前記聴覚ピースを決定する。
前記聴覚ピースの少なくとも一部は、前記幼児の親の声で再生されてもよい。
再生する前記聴覚ピースを決定するために、前記幼児の年齢も考慮に入れてもよい。
再生する前記聴覚ピースを決定するために、前記幼児の健康状態も考慮に入れてもよい。
前記聴覚ピースにおける母語音素の部分は、前記幼児の近接での発話量が閾値を下回ると増加してもよい。
前記聴覚ピースにおける外国語音素の部分は、前記幼児の近接での発話量が閾値を上回ると増加してもよい。
マイク、オプションカメラ、および信号処理ユニットをさらに含み、前記幼児が泣き始めると、前記信号処理ユニットは前記泣き声を登録し、所定の電話番号に自動的に電話をかけてもよい。
方法は、前記音声カテゴリの発達を刺激するために、幼児に対して再生する聴覚ピースを作成する方法であって、前記幼児の親が複数の単独音素を録音するステップと、前記録音された音素を処理して、前記録音された単独音素を含む聴覚ピースの再生を可能にするステップとを含み、前記異なる聴覚ピースの総持続時間は、前記親が前記録音に費やした総持続時間より少なくとも３倍長い。
前記聴覚ピースは、元々前記親によって録音されていない旋律を含んでもよい。
前記聴覚ピースは、元々前記親によって録音されていないピッチの音素を含んでもよい。
前記録音された音素を処理するステップは、前記録音された単独音素を含む聴覚ピースを作成するステップをさらに含んでもよい。
前記録音された音素を処理するステップは、前記録音された音素を移調するステップをさらに含んでもよい。
前記録音された音素を処理するステップは、前記録音された音素から新しい音素を合成するステップをさらに含んでもよい。
方法は、各音素は、所定の持続時間の間隔を有し、前記録音された音素の持続時間が前記所定の持続時間を維持するか否かを検査するステップをさらに含んでもよい。
前記音声カテゴリの発達を刺激するために、幼児に対して再生する聴覚ピースを作成する方法であって、比較的短時間、前記幼児の親を声を録音するステップと、前記録音を処理するステップと、前記録音の持続時間よりはるかに長い持続時間の聴覚ピースを作成するステップとを含む。
前記親は幼児向けの発話を使用してもよい。
前記聴覚ピースは、本来、前記親によって録音されていない旋律を含んでもよい。
前記聴覚ピースは、本来、前記親によって録音されていないピッチの音素を含んでもよい。
前記録音を処理するステップは、前記録音された音素から新しい音素を合成するステップを含んでもよい。
方法は、複数のユーザによって録音された複数の単独音素にアクセスするステップと、各ユーザに対して、適切に録音された音素を選択するステップと、前記録音された音素を複製することによって聴覚ピースを作成するステップとを含む。
前記聴覚ピースを作成するステップは、前記音素の少なくとも一部を処理するステップを含んでもよい。
前記音素を処理するステップは、前記音素の少なくとも１つのピッチを変更するステップを含んでもよい。
コンピュータプログラムは、録音される単独音素の素早く正確な発音を支援するためのコンピュータプログラムであって、前記音素を発音するために必要な声道内の動きを説明する断面動画をユーザに示すことによって、どの音素を発音するかについてユーザを指導するステップと、前記ユーザを録音するステップとを含む。
前記録音を分析するステップと、適切な場合に、前記断面を使用して、次の録音を改善する方法を示すステップとをさらに含んでもよい。
方法は、ユーザが少なくとも１つの音素を迅速かつ正確に録音するよう支援するための方法であって、前記音素を発音するために必要な声道内の動きを説明する動画を前記ユーザに示すステップと、前記ユーザを録音するステップとを含む。
前記録音を分析するステップと、適切な場合に、次の録音を改善する方法に前記ユーザを集中させるために、前記動画を使用するステップとをさらに含んでもよい。
前記動画を表示している間に、録音する前記音素を再生するステップをさらに含んでもよい。
前記動画は２次元断面を含んでもよい。
前記動画は３次元断面を含んでもよい。
前記動画は前記声道のモデルを含んでもよい。
前記音素は、前記ユーザにとって外国語である言語内にあってもよい。
方法は、幼児を刺激して追加の音声カテゴリを発達させるために、幼児向けの発話における音素を録音するための方法であって、どの音素を発音するかについて前記幼児の親を指導するステップと、前記音素を発音するために必要な前記声道内の動きを説明する動画を前記親に示すステップと、前記親を録音するステップと、パフォーマンスを微調整する方法を前記親に示すステップとを含む。
前記方法は、毎回録音ボタンをクリックする必要なく、前記親が録音できるようにするソフトウェアを使用して実装されてもよい。
前記親に示すステップは、前記持続時間に関するフィードバックを含んでもよい。
前記親に示すステップは、前記ピッチに関するフィードバックを含んでもよい。
前記親に示すステップは、前記ピッチの変化に関するフィードバックを含んでもよい。
コンピュータプログラムは、幼児向けの発話を録音するためのコンピュータプログラムであって、どの音を録音するかについて親を指導するステップと、幼児向けの態様で話すよう前記親を促すために、自分の子供の画像を前記親に示すステップと、前記親を録音するステップとを含む。
前記音は単独音素であってもよい。
前記画像を示すステップの前に、前記幼児の画像を受信するステップをさらに含んでもよい。
前記幼児の前記画像は胎児の超音波画像であってもよい。
前記画像は静止画像であってもよい。
前記画像は動画であってもよい。
録音が成功した後に、前記動画を利用して、前記親にフィードバックを提供してもよい。
コンピュータプログラムは、幼児向けの発話を録音するためのコンピュータプログラムであって、ユーザの子供の画像のプレースホルダーを備えるグラフィックユーザインターフェースであって、それによって、前記幼児を見ることで、前記ユーザが自身の子供向けの様態で話すことを助けるグラフィックユーザインターフェースと、前記必要な音を録音する際に前記ユーザを支援するための指導とを含む。
前記音は単独音素であってもよい。
前記ユーザを録音するステップをさらに含んでもよい。
前記幼児の前記画像は、前記胎児の超音波画像であってもよい。
ユーザが幼児向けの発話の態様で所定の音を録音することを助けるための方法であって、録音する音を再生するステップと、前記ユーザに自分の子供の画像または自分の子供を見るように依頼するステップと、前記ユーザを録音するステップとを含んでもよい。
前記音は単独音素であってもよい。
前記幼児の前記画像は、前記胎児の超音波画像であってもよい。
【手続補正２】
【補正対象書類名】特許請求の範囲
【補正対象項目名】全文
【補正方法】変更
【補正の内容】
【特許請求の範囲】
【請求項１】
音声カテゴリの発達を刺激するために、幼児に対して聴覚ピースを再生するよう作動するデバイスであって、前記デバイスは、前記幼児の年齢に従って、前記幼児に対して再生する前記聴覚ピースを決定し、前記聴覚ピースは、前記幼児の親の声の単独音素を含む、デバイス。